(57)【要約】      （修正有）【課題】貯蔵安定性に問題がなく、好ましい粘度を呈する濃縮タイプの自動食器洗浄機用液体洗浄剤を提供する。【解決手段】(a)低分子キレート剤、(b)アクリル酸単位とマレイン酸単位が含有されるポリマー、(c)アルカリ剤、(d)(d1)式(1)の化合物又は(d1)式(1)の化合物及び(d2)PPG、(e)式(2)の化合物、(f)増粘剤、水を含有し、(a)/(b)が0.1〜20、(a)、(b)の合計10〜30％、(d)/(e)が1〜300、20℃の粘度500〜5000mPa・s、25℃のｐＨ8〜11である自動食器洗浄機用液体洗浄剤組成物。R1（OC2H4）l／（OC3H6）mOH(1)（R1はC8-18の炭化水素基、l、mは平均付加モル数）R2−（G）n(2)〔R2はC6-18の炭化水素基、Gは還元糖に由来する残基、ｎは平均縮合度〕【選択図】なし【特許請求の範囲】
【請求項１】
（ａ）低分子キレート剤を１〜２０質量％、
（ｂ）アクリル酸（塩）由来のモノマー構成単位とマレイン酸（塩）及び／又は無水マレイン酸由来のモノマー構成単位が、９／１〜４／６のモル比で含有されてなる、重量平均分子量１，０００〜４０,０００の高分子化合物を１〜２０質量％、
（ｃ）アルカリ剤を０．１〜２０質量％、
（ｄ）（ｄ１）下記一般式（１）の化合物、又は（ｄ１）下記一般式（１）の化合物及び（ｄ２）ポリプロピレングリコールを０．０５〜１０質量％、
（ｅ）下記一般式（２）の化合物を０．００５〜２質量％、
（ｆ）増粘剤、並びに水を含有し、
（ａ）成分／（ｂ）成分の質量比が０．１〜２０であり、
（ａ）成分及び（ｂ）成分の合計が１０〜３０質量％であり、
（ｄ）成分／（ｅ）成分の質量比が１〜３００であり、
さらに２０℃における粘度が５００〜５，０００mPa・sであり、且つ２５℃におけるｐＨが８〜１１である自動食器洗浄機用液体洗浄剤組成物。
Ｒ1（ＯＣ2Ｈ4）l／（ＯＣ3Ｈ6）mＯＨ    （１）
〔式中；Ｒ1は炭素数８〜１８の炭化水素基であり、ｌ、ｍは平均付加モル数であり、ｌは０〜１０の数であり、ｍは０〜１００の数であり、ｌとｍが同時に０になることはない。“／”はオキシエチレン基及びオキシプロピレン基が、順序に関係なく、ランダム又はブロックのいずれに付加したものであってもよいことを示す。〕
Ｒ2−（Ｇ）n                          （２）
〔式中；Ｒ2は炭素数６〜１８の炭化水素基であり、Ｇは還元糖に由来する残基である。ｎは平均縮合度で、１〜５の数である。〕
【請求項２】
（ｄ２）ポリプロピレングリコールの含有量が１質量％未満である、請求項１記載の自動食器洗浄機用液体洗浄剤組成物。
【請求項３】
（ａ）低分子キレート剤を１〜２０質量％、
（ｂ）アクリル酸（塩）由来のモノマー構成単位とマレイン酸（塩）及び／又は無水マレイン酸由来のモノマー構成単位が、９／１〜４／６のモル比で含有されてなる、重量平均分子量１，０００〜４０,０００の高分子化合物を１〜２０質量％、
（ｃ）アルカリ剤を０．１〜２０質量％、
（ｄ）（ｄ１）下記一般式（１）の化合物及び（ｄ２）ポリプロピレングリコールを含有し、（ｄ１）成分の含有割合が０．０１〜２質量％（ｄ２）成分の含有割合が１〜５質量％、
（ｅ）下記一般式（２）の化合物を０．００５〜２質量％、
（ｆ）（メタ）アクリル酸と（メタ）アクリル酸エステルとの共重合体、並びに水を含有し、
（ａ）成分／（ｂ）成分の質量比が０．１〜２０であり、
（ａ）成分及び（ｂ）成分の合計が１０〜３０質量％であり、
（ｄ２）成分／（ｅ）成分の質量比が０．１〜１０であり、
さらに２０℃における粘度が５００〜５，０００mPa・sであり、且つ２５℃におけるｐＨが８〜１１である自動食器洗浄機用液体洗浄剤組成物。
Ｒ1（ＯＣ2Ｈ4）l／（ＯＣ3Ｈ6）mＯＨ    （１）
〔式中；Ｒ1は炭素数８〜１８の炭化水素基であり、ｌ、ｍは平均付加モル数であり、ｌは０〜１０の数であり、ｍは０〜１００の数であり、ｌとｍが同時に０になることはない。“／”はオキシエチレン基及びオキシプロピレン基が、順序に関係なく、ランダム又はブロックのいずれに付加したものであってもよいことを示す。〕
Ｒ2−（Ｇ）n                          （２）
〔式中；Ｒ2は炭素数６〜１８のアルキル基であり、Ｇは還元糖に由来する残基である。ｎは平均縮合度で、１〜５の数である。〕
【請求項４】
（ａ）成分が、分子量が４０〜４００である水溶性有機酸である、請求項１〜３の何れか１項に記載の液体洗浄剤組成物。
【発明の詳細な説明】
【技術分野】
【０００１】
本発明は、自動食器洗浄機用液体洗浄剤組成物に関する。
【背景技術】
【０００２】
特許文献１、特許文献２には、低分子キレート剤とアクリル酸／マレイン酸共重合体を含有する自動食器洗浄機用液体洗浄剤組成物の技術が開示されている。また、増粘剤を含有する自動食器洗浄機用液体洗浄剤組成物は、特許文献３、特許文献４に開示されている。また、特許文献５には、低分子キレート剤とアクリル酸／マレイン酸共重合体を高濃度に含有する液体洗浄剤が開示されている。
【先行技術文献】
【特許文献】
【０００３】
【特許文献１】特開２００８−１６３０７９号公報
【特許文献２】特開２００８−１３３３４０号公報
【特許文献３】特開２００８−１８４５００号公報
【特許文献４】特開２００８−１６３２９２号公報
【特許文献５】特開２００６−１５２２８７号公報
【発明の概要】
【発明が解決しようとする課題】
【０００４】
近年、自動食器洗浄機は急速に普及しており、使い勝手の点から自動食器洗浄機用に用いられる洗浄剤として、粘度が高めの液体洗浄剤タイプのものが提案されている。また省エネルギーや省資源の観点から、一般の液体洗浄剤は有効成分を高濃度に含有する濃縮タイプの開発が進められている。
【０００５】
このような状況の下、本発明者は自動食器洗浄機用液体洗浄剤の濃縮タイプの開発に着手した。該液体洗浄剤の有効成分は低分子キレート化剤、カルボン酸系高分子化合物、アルカリ剤、及び界面活性剤であるが、使い勝手の点から粘度が高められた組成物にこれら有効成分を高濃度に配合しても、前記の使い勝手の良い粘度を維持できないか、前記粘度を維持できた場合でも、貯蔵安定性が良好でないという新たな課題が生じた。
【０００６】
特許文献１〜４には、低分子キレート剤とアクリル酸／マレイン酸共重合体、増粘剤、アルカリ剤等を含有する自動食器洗浄機用液体洗浄剤組成物の技術が開示されているが、有効成分を高濃度に含有した場合に発生する新たな課題と、それらを解決する手段については記載されていない。特許文献５には、低分子キレート剤とアクリル酸／マレイン酸共重合体を高濃度に含有する組成物が開示されているが、使い勝手の点から粘度を上げ、且つアルカリ剤を併用した場合の貯蔵安定性が劣るという課題や解決手段を示すものではない。
【０００７】
従って本願発明は、有効成分を高濃度に配合しても貯蔵安定性に問題がなく、しかも好ましい粘度を呈する濃縮タイプの自動食器洗浄機用液体洗浄剤を提供することを課題とする。
【課題を解決するための手段】
【０００８】
本発明（以下、「第１発明」とも言う）は、
（ａ）低分子キレート剤を１〜２０質量％、
（ｂ）アクリル酸（塩）由来のモノマー構成単位とマレイン酸（塩）及び／又は無水マレイン酸由来のモノマー構成単位が、９／１〜４／６のモル比で含有されてなる、重量平均分子量１，０００〜４０,０００の高分子化合物を１〜２０質量％、
（ｃ）アルカリ剤を０．１〜２０質量％、
（ｄ）（ｄ１）下記一般式（１）の化合物、又は（ｄ１）下記一般式（１）の化合物及び（ｄ２）ポリプロピレングリコールを０．０５〜１０質量％、
（ｅ）下記一般式（２）の化合物を０．００５〜２質量％、
（ｆ）増粘剤、並びに水を含有し、
（ａ）成分／（ｂ）成分の質量比が０．１〜２０であり、
（ａ）成分及び（ｂ）成分の合計が１０〜３０質量％であり、
（ｄ）成分／（ｅ）成分の質量比が１〜３００であり、
さらに２０℃における粘度が５００〜５，０００mPa・sであり、且つ２５℃におけるｐＨが８〜１１である自動食器洗浄機用液体洗浄剤組成物を提供する。
【０００９】
Ｒ1（ＯＣ2Ｈ4）l／（ＯＣ3Ｈ6）mＯＨ    （１）
〔式中；Ｒ1は炭素数８〜１８の炭化水素基であり、ｌ、ｍは平均付加モル数であり、ｌは０〜１０の数であり、ｍは０〜１００の数であり、ｌとｍが同時に０になることはない。“／”はオキシエチレン基及びオキシプロピレン基が、順序に関係なく、ランダム又はブロックのいずれに付加したものであってもよいことを示す。〕
Ｒ2−（Ｇ）n                          （２）
〔式中；Ｒ2は炭素数６〜１８の炭化水素基であり、Ｇは還元糖に由来する残基である。ｎは平均縮合度で、１〜５の数である〕。
【００１０】
また、本発明（以下、第２発明とも言う）は、
（ａ）低分子キレート剤を１〜２０質量％、
（ｂ）アクリル酸（塩）由来のモノマー構成単位とマレイン酸（塩）及び／又は無水マレイン酸由来のモノマー構成単位が、９／１〜４／６のモル比で含有されてなる、重量平均分子量１，０００〜４０,０００の高分子化合物を１〜２０質量％、
（ｃ）アルカリ剤を０．１〜２０質量％、
（ｄ）（ｄ１）下記一般式（１）の化合物及び（ｄ２）ポリプロピレングリコールを含有し、（ｄ１）成分の含有割合が０．０１〜２質量％（ｄ２）成分の含有割合が１〜５質量％、
（ｅ）下記一般式（２）の化合物を０．００５〜２質量％、
（ｆ）（メタ）アクリル酸と（メタ）アクリル酸エステルとの共重合体、並びに水を含有し、
（ａ）成分／（ｂ）成分の質量比が０．１〜２０であり、
（ａ）成分及び（ｂ）成分の合計が１０〜３０質量％であり、
（ｄ２）成分／（ｅ）成分の質量比が０．１〜１０であり、
さらに２０℃における粘度が５００〜５，０００mPa・sであり、且つ２５℃におけるｐＨが８〜１１である自動食器洗浄機用液体洗浄剤組成物を提供する。
【００１１】
Ｒ1（ＯＣ2Ｈ4）l／（ＯＣ3Ｈ6）mＯＨ    （１）
〔式中；Ｒ1は炭素数８〜１８の炭化水素基であり、ｌ、ｍは平均付加モル数であり、ｌは０〜１０の数であり、ｍは０〜１００の数であり、ｌとｍが同時に０になることはない。“／”はオキシエチレン基及びオキシプロピレン基が、順序に関係なく、ランダム又はブロックのいずれに付加したものであってもよいことを示す。〕
Ｒ2−（Ｇ）n                          （２）
〔式中；Ｒ2は炭素数６〜１８の炭化水素基であり、Ｇは還元糖に由来する残基である。ｎは平均縮合度で、１〜５の数である〕。
【発明の効果】
【００１２】
本発明の自動食器洗浄機用液体洗浄剤組成物は、自動食器洗浄機用として使い勝手の良い粘度であるが、貯蔵安定性も良く、使用時には、泡立ちも少なく高い洗浄性能を有している。
【発明を実施するための形態】
【００１３】
＜（ａ）成分＞
（ａ）成分の低分子キレート剤としては、特に限定されるものではないが、分子量が４０〜４００である水溶性有機酸を挙げることができる。好ましくは分子量９０〜３６０、より好ましくは１００〜３００の水溶性有機酸、特に分子中に２つ以上、好ましくは２〜６個のカルボン酸基を有する多価カルボン酸を挙げることができる。（ａ）成分は、本発明で用いるアルカリ剤との塩として組成物中に存在することが好ましい。
【００１４】
具体的には、ギ酸、酢酸、グルコン酸、リンゴ酸、酒石酸、乳酸、クエン酸、コハク酸、マレイン酸、フマル酸から選ばれるカルボン酸、エチレンジアミン４酢酸、ジエチレントリアミン５酢酸、メチルグリシン２酢酸、グルタミン酸２酢酸、セリン２酢酸、アスパラギン酸２酢酸から選ばれるアミノカルボン酸、ヒドロキシエタンジホスホン酸、アミノトリメチレンホスホン酸から選ばれるホスホン酸が好適であり、特にクエン酸、メチルグリシン２酢酸、エチレンジアミン４酢酸、ジエチレントリアミン５酢酸、ヒドロキシエタンジホスホン酸が好ましい。中でもクエン酸が特に好ましい。
【００１５】
＜（ｂ）成分＞
（ｂ）成分は、アクリル酸（塩）（アクリル酸又はその塩を意味する）由来のモノマー構成単位とマレイン酸（塩）（マレイン酸又はその塩を意味する）及び／又は無水マレイン酸由来のモノマー構成単位とを含有する高分子化合物とは、アクリル酸（塩）とマレイン酸（塩）及び／又は無水マレイン酸とを必須モノマーとして重合してなる共重合体のことであり、無水マレイン酸は、重合中又は重合後に加水分解され、共重合体を構成している無水マレイン酸由来のモノマー構成単位の一部又は全部がマレイン酸のモノマー構成単位と同じ構造になっていてもよい。（ｂ）成分は、本発明で用いるアルカリ剤との塩として組成物中に存在することが好ましい。
【００１６】
（ｂ）成分の高分子化合物は、重合に用いるモノマーとして、アクリル酸（塩）／〔マレイン酸（塩）及び／又は無水マレイン酸〕のモノマー構成単位のモル比が９／１〜４／６であり、好ましくは８／２〜５／５、より好ましくは８／２〜６／４、特に好ましくは７．５／２．５〜６．５／３．５のものである。
【００１７】
（ｂ）成分の共重合体を構成している、アクリル酸（塩）、マレイン酸（塩）及び無水マレイン酸以外のモノマー構成単位としては、非イオン系のモノマーに由来するモノマー構成単位が好ましく、そのために用いる具体的なモノマーとしては、アクリルアミド、Ｎ，Ｎ−ジメチルアミノプロピルアクリル酸（又はメタクリル酸）アミド、Ｎ，Ｎ−ジメチルアクリル（又はメタクリル）アミド、Ｎ，Ｎ−ジメチルアミノエチルアクリル酸（又はメタクリル酸）アミド、Ｎ，Ｎ−ジメチルアミノエチルアクリル酸（又はメタクリル酸）アミド、Ｎ−ビニル−２−カプロラクタム、Ｎ−ビニル−２−ピロリドン、アクリル酸アルキル（炭素数１〜５）、アクリル酸２−ヒドロキシエチル、アクリル酸−Ｎ，Ｎ−ジメチルアミノアルキル（炭素数１〜５）、酢酸ビニル、エチレン、プロピレン、Ｎ−ブチレン、イソブチレン、Ｎ−ペンテン、イソプレン、２−メチル−１−ブテン、Ｎ−ヘキセン、２−メチル−１−ペンテン、３−メチル−１−ペンテン、４−メチル−１−ペンテン、２−エチル−１−ブテン、スチレン、ビニルトルエン、及びα−メチルスチレンを挙げることができる。
【００１８】
（ｂ）成分の共重合体を構成している全モノマー構成単位のうち、アクリル酸（塩）、マレイン酸（塩）及び無水マレイン酸由来のモノマー構成単位が、８０〜１００モル％を占めることが好ましく、９０〜１００モル％を占めることがより好ましく、９５〜１００モル％を占めることが更に好ましく、特にはアクリル酸（塩）と、マレイン酸（塩）及び／又は無水マレイン酸由来のモノマー構成単位とから構成されていることが好ましい。なお、構成単位の比率は、共重合に用いたモノマー比率（モノマーの使用量）であってもよい。
【００１９】
（ｂ）成分の共重合体の重量平均分子量は、１，０００〜４０，０００であり、好ましくは５，０００〜４０，０００、より好ましくは１０，０００〜４０，０００、更に好ましくは２０，０００〜４０，０００であることが、洗浄性能及び／又は貯蔵安定性を高めるために有効である。この重量平均分子量は、アセトニトリルと水の混合溶媒（リン酸緩衝液）を展開溶媒とし、ゲルパーミエーションクロマトグラフィーでポリエチレングリコールを標準物質として求めたものである。
【００２０】
＜（ｃ）成分＞
（ｃ）成分のアルカリ剤としては、水酸化ナトリウム、水酸化カリウム、炭酸ナトリウム、炭酸カリウムから選ばれる無機アルカリ剤、アミン化合物から選ばれる有機アルカリ剤を挙げることができる。アミン化合物としては下記一般式（１）〜（４）で表されるアミン化合物が好適である。
【化１】
2010163599.tif 000002
【００２１】
（式中、Ｒ4、Ｒ6、Ｒ8、Ｒ10、Ｒ12、Ｒ13は、それぞれ水素原子又は炭素数１〜４のアルキル基を示し、Ｒ1、Ｒ2、Ｒ3、Ｒ5、Ｒ7、Ｒ9、Ｒ11は、それぞれ水素原子、炭素数１〜４のアルキル基又は炭素数２〜４のヒドロキシアルキル基を示す）。
【００２２】
一般式（１）で表される化合物としては、モノエタノールアミン、ジエタノールアミン、トリエタノールアミン、Ｎ−メチルプロパノール、２−アミノ−２−メチル−１−プロパノール等を挙げることができ、
一般式（２）で表される化合物としては、Ｎ−（β−アミノエチル）エタノールアミン等を挙げることができ、
一般式（３）で表される化合物としては、ジエチレントリアミン等を挙げることができ、
一般式（４）で表される化合物としては、モルホリン、Ｎ−エチルモルホリン等を挙げることができる。
【００２３】
これらの中でもモノエタノールアミン、ジエタノールアミン、トリエタノールアミン、２−アミノ−２−メチル−１−プロパノール、モルホリンが好ましく、特にモノエタノールアミンが好ましい。
【００２４】
無機アルカリ剤としては、水酸化カリウム、炭酸カリウム等のカリウム化合物、水酸化ナトリウム、炭酸ナトリウム、ケイ酸ナトリウム等のナトリウム化合物を挙げることができる。好ましくは、水酸化カリウム、水酸化ナトリウム等の水酸化物である。特に好ましくは、水酸化カリウムである。
【００２５】
本発明では（ｃ）成分としてモノエタノールアミンと水酸化カリウムを併用することが好ましく、洗浄性能及び高ｐＨ域での増粘の点から、モノエタノールアミン／水酸化カリウムの質量比は、好ましくは９０／１０〜１０／８０、より好ましくは８０／２０〜２０／８０、特に好ましくは７０／３０〜３０／７０が好適である。
【００２６】
＜（ｄ）成分＞
本発明の組成物は、（ｄ）成分として（ｄ１）下記一般式（１）の化合物及び／又は（ｄ２）ポリプロピレングリコールを含有する。
Ｒ1（ＯＣ2Ｈ4）l／（ＯＣ3Ｈ6）mＯＨ      （１）
〔式中；Ｒ1は炭素数８〜１８の炭化水素基、好ましくはアルキル基であり、ｌ、ｍは平均付加モル数であり、ｌは０〜１０の数であり、ｍは０〜１００の数であり、ｌとｍが同時に０になることはない。“／”はオキシエチレン基及びオキシプロピレン基が、順序に関係なく、ランダム又はブロックのいずれに付加したものであってもよいことを示す。〕
具体的には下記（I）〜（III）の化合物が好適である。
【００２７】
（I）重量平均分子量が６００〜２０，０００、好ましくは２，０００〜１０，０００のポリプロピレングリコール。なお、ポリプロピレングリコールの重量平均分子量は光散乱法を用いて決定することができ、ダイナミック光散乱光度計（ＤＬＳ−８０００シリーズ、大塚電子株式会社製等）により測定することができる。なお、ポリプロピレングリコールには、多価アルコールにプロピレンオキサイドを付加させたものも本発明の範囲に含むものとする。
【００２８】
（II）一般式（１）において、Ｒ1が炭素数８〜１８、好ましくは１０〜１４の炭化水素基、好ましくはアルキル基、ｌが１〜１０、好ましくは１〜７のポリオキシエチレンアルキルエーテル（ｍ＝０）。
【００２９】
（III）一般式（１）において、Ｒ1が炭素数８〜１８、好ましくは１０〜１４の炭化水素基、好ましくはアルキル基、ｌが１〜１０、好ましくは１〜７、ｍが１〜１０、好ましくは１〜７のポリオキシアルキレンアルキルエーテル（オキシエチレン基及びオキシプロピレン基はランダムであってもブロックであっても差し支えない）。
【００３０】
本発明では特に（I）又は（II）の化合物が好ましく、特に（I）及び（II）の化合物の併用が好ましい。第１発明においては、（I）及び（II）の化合物を併用するときの配合比（質量比）は、分散安定性及び低泡性の点から、（II）／（I）が、好ましくは９０／１０〜１０／９０、より好ましくは８５／１５〜２５／７５、特に好ましくは８０／２０〜５０／５０である。
【００３１】
＜（ｅ）成分＞
本発明の組成物は、（ｅ）成分として下記一般式(２)の化合物を含有する。
Ｒ2−（Ｇ）n      （２）
〔式中；Ｒ2は炭素数６〜１８、好ましくは８〜１６、より好ましくは１０〜１４の炭化水素基、好ましくはアルキル基であり、Ｇは還元糖に由来する残基である。ｎは平均縮合度であり、１〜５の数である〕。
【００３２】
一般式（２）の化合物において、Ｇは還元糖に由来する残基であり、原料の還元糖としては、アルドースとケトースの何れであっても良く、また、炭素数が３〜６個のトリオース、テトロース、ペントース、ヘキソースを挙げることができる。アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。本発明では、これらの中でも特に炭素数５又は６のアルドペントースあるいはアルドヘキソースが好ましく、中でもグルコースが最も好ましい。Ｇの還元糖としては上記単糖類が好ましいが、これら単糖が２〜５個、好ましくは２又は３個縮合したオリゴ糖を用いても差し支えない。さらには単糖とオリゴ糖が混合したものでもよい。また、平均縮合度は１〜５、好ましくは１〜３、特に好ましくは１〜２が好適であり、１〜１．５が最も好ましい。
【００３３】
＜（ｆ）成分＞
本発明の組成物は、（ｆ）成分として増粘剤を含有する。（ｆ）成分としては、例えばペクチン、カルボキシメチルセルロース、メチルセルロース、ヒドロキシメチルセルロース、ポリビニルアルコール、ポリビニルピロリドン、ポリエチレングリコール、トラガントガム、カラギーナン、ローカストビーンガム、デキストリン、デキストリン脂肪酸エステル、ポリアクリル酸系増粘剤、キサンタンガム、グアーガム、ローカストビーンガム、ゼラチン、アルギン酸ナトリウム、アラビアゴム、デンプン等の水溶性高分子や、スメクタイトのような水膨潤性粘土鉱物が好ましい。
【００３４】
スメクタイトとしては天然及び合成のいずれも使用し得るが、ガラス質、長石、石英、雲母、硫酸カルシウム、炭酸カルシウム、炭酸マンガン等の含有率が５質量％以下であるものが好ましい。好ましいスメクタイトとしては、ジオクタヘドラル群のモンモリロナイト、バイデライト、ノントロイト等又はトリオクタヘドラル群のサポナイト、ヘクトライト、スチーブンサイト等の天然又は合成のコロイド性ケイ酸塩を挙げることができる。その中でも好ましくはヘクトライトであり、ラポルテ社製ラポナイトシリーズ、クニミネ工業社製クニピア、コープケミカル社製スメクトン等を挙げることができる。
【００３５】
増粘性、保存安定性の点からポリアクリル酸系増粘剤が好ましい。好ましいポリアクリル酸系増粘剤としては、カルボキシビニルポリマー（以下（i）成分という）又は（メタ）アクリル酸と（メタ）アクリル酸エステルとの共重合体（以下（ii）成分という）から選ばれる１種以上を用いることができる。これらの中でも、(ii)成分が好ましい。
【００３６】
（i）成分のカルボキシビニルポリマーは、カルボキシル基を持つ酸性高分子化合物で、主たる構成モノマーがアクリル酸であるポリマーであり、アクリル酸１００質量部に対して、０．０１質量部以上のエチレン性不飽和基を少なくとも２個有する化合物を架橋剤として使用して得られる架橋型ポリアクリル酸であってもよい。
【００３７】
ここで、エチレン性不飽和基を少なくとも２個有する化合物としては、例えば、ペンタエリスリトールテトラアリルエーテル、テトラアリルオキシエタン、リン酸トリアリル及びポリアリルサッカロースの少なくとも１種が好ましい。
架橋剤は、アクリル酸との合計量中、好ましくは０．０５質量％以上で、３質量％以下である。
【００３８】
（i）成分のカルボキシビニルポリマーは、（i）成分を０．２質量％含有し、水酸化ナトリウムでｐＨ７．０に調整した水溶液を、２０℃にてブルックフィールド型粘度計（ローターNo．4、回転数１２r/m）で測定した粘度が５００mPa・s以上が好ましく、より好ましくは１,０００〜７０，０００mPa・s、特には１５００〜４０，０００mPa・sであることが好ましい。
【００３９】
（i）成分は、構成単量体がアクリル酸９９．９モル％以上のものが好ましく、特にアクリル酸のみのものや架橋型ポリアクリル酸が好ましい。
【００４０】
このようなカルボキシビニルポリマーとしては、例えば、ノベオン社（ＮｏｖｅｏｎＩｎｃ．）製のカーボポール９８０、カーボポール９８１、住友精化株式会社製のアクペックＨＶ５０１Ｅ、ＨＶ５０５Ｅ等の市販品を用いることができる。これらは、２種以上を併用することもできる。
【００４１】
（ii）成分を構成する（メタ）アクリル酸エステルは、エステルを構成する炭化水素基はアルキル基が好ましく、その炭素数は８〜３０、更に１０〜３０、特に１０〜２２が好ましい。
また、（ii）成分は、炭素数２〜４のアルキレンオキサイド（以下、ＡＯという）に由来する構成単位を含んでいてもよく、ＡＯとしてはエチレンオキサイド、プロピレンオキサイド、好ましくはエチレンオキサイドを挙げることができる。ＡＯの平均付加モル数は５〜２０が好ましい。
【００４２】
また、（ii）成分の単量体の比率は、モル比で（メタ）アクリル酸１００に対して（メタ）アクリル酸エステルを０．２〜１０が好ましく、特に０．５〜５が好ましく、ＡＯ由来の構成単位を導入する場合は、（メタ）アクリル酸エステルのＡＯ付加物及び／又は（メタ）アクリル酸ＡＯ付加物を、モル比で（メタ）アクリル酸１００に対して０〜１０用いることが好ましい。
【００４３】
（ii）成分の（メタ）アクリル酸と（メタ）アクリル酸エステルとの共重合体は、（ii）成分を０．２質量％含有し、水酸化ナトリウムでｐＨ７．０に調整した水溶液を、２０℃にてブルックフィールド型粘度計（ローターNo．４、回転数１２r/m）で測定した粘度が５００mPa・s以上が好ましく、より好ましくは１０００〜７０，０００mPa・s、特には１５００〜４０，０００mPa・sであることが好ましい。
【００４４】
（ii）成分は、構成単量体がアクリル酸とアクリル酸アルキルであるものが好ましく、特にアクリル酸１００質量部に対して、０．０１質量部以上のエチレン性不飽和基を少なくとも２個有する化合物を架橋剤として使用して得られる架橋型ポリアクリル酸／アクリル酸アルキル共重合体が好ましい。
【００４５】
（ii）成分としては、例えば、ノベオン社（Ｎｏｖｅｏｎ Ｉｎｃ．）製のカーボポールＥＴＤ２０２０、住友精化株式会社製アクペックＨＶ５０１ＥＲ、アクペックＨＶ７０１ＥＤＲ等の市販品を用いることができる。これらは、２種以上を併用することもできる。
【００４６】
（i）成分及び（ii）成分は、上述のアルカリ剤との塩として洗浄剤組成物中に存在することが好ましい。
【００４７】
＜その他の成分＞
本発明の組成物は、任意ではあるが、洗浄力をさらに向上させる目的から酵素〔以下（ｇ）成分という〕を含有することが好ましい。好適な（ｇ）成分としては、セルラーゼ、プロテアーゼ、リパーゼ、アミラーゼ、エステラーゼ、ペクチナーゼ、ラクターゼおよびペルオキシダーゼを挙げることができ、特にプロテアーゼ、アミラーゼが好適である。
本発明ではプロテアーゼとアミラーゼを併用することが好ましく、酵素タンパク質の量としてアミラーゼ／プロテアーゼの質量比は、好ましくは１／９９〜９４／６、より好ましくは２／９８〜９０／１０、特に好ましくは２０／８０〜８０／２０である。
【００４８】
本発明の組成物が酵素を含有する場合、アルカリ剤を含有する中性〜弱アルカリ性水溶液中での酵素失活を抑制するため、酵素安定化剤〔以下（ｈ）成分という〕を配合することが好ましい。
【００４９】
酵素安定化剤としては、ホウ酸又はホウ酸を形成することが可能なホウ素化合物、エチレングリコール、プロピレングリコール、グリセリン、ソルビトール、水溶性カルシウム塩から選ばれる１種以上を配合することが好ましい。（ｈ）成分としてはプロピレングリコール及び／又はグリセリンと水溶性カルシウム塩を併用することが最も好ましい。
【００５０】
本発明の組成物は、その他、上記を除く他の界面活性剤、色素、香料、消泡剤、エタノールを任意の成分として含有することができる。
【００５１】
＜自動食器洗浄機用液体洗浄剤組成物＞
本発明の第１発明の組成物における各成分の含有割合、各成分の比率は、以下のとおりである。
【００５２】
（ａ）成分の含有割合は、１〜２０質量％、好ましくは１〜１５質量％、より好ましくは５〜１５質量％、特に好ましくは９〜１５質量％であり、
（ｂ）成分の含有割合は、１〜２０質量％、好ましくは１〜１５質量％、より好ましくは2〜１２質量％、特に好ましくは3〜９質量％であり、
（ｃ）成分の含有割合は、０．１〜２０質量％、好ましくは１〜１５質量％、より好ましくは３〜１５質量％、特に好ましくは７〜１５質量％であり、
（ｄ）成分の含有割合は、０．０５〜１０質量％、好ましくは０．１〜７質量％、より好ましくは１〜５質量％、特に好ましくは２〜３．５質量％であり、
（ｅ）成分の含有割合は、０．００５〜２質量％、好ましくは０．０１〜１質量％、より好ましくは０．０５〜１質量％、特に好ましくは０．１〜０．７質量％であり、
（ｆ）成分の含有割合は、好ましくは０．１〜５質量％、より好ましくは０．５〜４質量％、特に好ましくは０．７〜２．５質量％である。
【００５３】
（ｄ）成分として（ｄ１）成分の一般式（１）の化合物と（ｄ２）成分のポリプロピレングリコールを併用するとき、（ｄ２）成分のポリプロピレングリコールの含有割合は、貯蔵安定性の観点から、含有割合は１質量％未満であり、好ましくは０．８質量％以下である。
【００５４】
（ａ）成分／（ｂ）成分の質量比は、洗浄性能を高めるため、０．１〜２０であり、好ましくは０．５〜１０、より好ましくは１〜５、特に好ましくは１〜２であり、（ａ）成分及び（ｂ）成分の合計は、洗浄性能を高めるため、１０〜３０質量％であり、好ましくは１０〜２５質量％、より好ましくは１２〜２０質量％、特に好ましくは１４〜１８質量％である。
【００５５】
（ｄ）成分／（ｅ）成分の質量比は、特に低泡性にすることと、貯蔵安定性を高めることから、１〜３００であり、好ましくは３〜１００、より好ましくは３〜６０、特に好ましくは７〜３０である。
【００５６】
任意成分として（ｇ）成分、（ｈ）成分を含有するときは、（ｇ）成分の含有割合は、酵素タンパク質の量として０．００５〜１質量％、より好ましくは０．０１〜０．５質量％、特に好ましくは０．０３〜０．３質量％である。（ｇ）成分を含有する場合には、（ｈ）成分を０．００１〜５０質量％、１〜４０質量％含有することが好ましい。
【００５７】
本発明の第２発明の組成物における各成分の含有割合は、（ｄ）成分を除いて第１発明の組成物と同じであり、各成分の比率は、以下のとおりである。
【００５８】
（ｄ）成分中、（ｄ１）成分の一般式（１）の化合物の含有割合は、粘度低下抑制の観点から０．０１〜２質量％であり、好ましくは０．１〜１質量％であり、（ｄ２）成分のポリプロピレングリコールの含有割合は、泡立ち抑制及び洗浄性能の観点から、１〜５質量％であり、好ましくは１．５〜３質量％、より好ましくは１．８〜２．５質量％である。
【００５９】
（ａ）成分／（ｂ）成分の質量比は、洗浄性能と貯蔵安定性を高めるため、０．１〜２０であり、好ましくは０．５〜１０、より好ましくは１〜５、特に好ましくは３〜５である。（ａ）及び（ｂ）成分の合計量は、第１発明の組成物と同じである。
【００６０】
（ｄ２）成分／（ｅ）成分の質量比は、増粘性、貯蔵安定性及び泡立ち抑制の観点から、０．１〜１０であり、好ましくは１〜７、特に好ましくは２〜４である。
【００６１】
本発明の組成物の残部は水であり、貯蔵安定性の上でイオン交換水等が好ましい。
【００６２】
また、本発明の組成物は、２０℃における粘度が５００〜５，０００mPa・s、好ましくは１０００〜４，０００mPa・s、特に好ましくは２，０００〜３，０００mPa・sであり、このような粘度は（ｆ）成分の含有量で適宜調整される。粘度の測定方法はブルックフィールド型粘度計（粘度が４０００mPa・s以下の場合はローターNo．3、回転数３０r/m、粘度が４,０００mPa・sを超え、２０，０００mPa・s以下の場合はローターNo．4、回転数３０r/m）を用いて行った。
【００６３】
また、本発明の組成物は、２５℃におけるｐＨが８〜１１、好ましくは８．５〜１０．５、特に好ましくは９〜１０であり、このようなｐＨは（ａ）成分〜（ｃ）成分、又は（ｆ）成分で適宜調整される（ｐＨの測定は、JIS Z 8802の7.2（測定方法）により行う）。
【実施例】
【００６４】
表１及び表２に示す配合組成で、自動食器洗浄機用液体洗浄剤組成物を調製し、以下の評価を行った。
【００６５】
＜低泡性＞
使用洗浄機：松下電器産業株式会社製自動食器洗い機（機種ＮＰ−Ｃ１０）を用い、表１及び表２の液体洗浄剤組成物を入れて標準コースで運転した。この洗浄機は、２．２Ｌの水を２０℃から６０℃まで徐々に昇温して洗浄し、その後すすぎを３回（昇温しない）行い、最終すすぎ（２０℃から７０℃まで徐々に昇温してのすすぎ）後、乾燥する形式のものである。運転開始１分、４分、９分、１４分、１９分後に洗浄機上部より光をあてながら噴射ノズルの回転数を数え、最も回転数の少なくなる時間の回転数を表１及び表２に示した。この場合、回転数が多いほど洗浄剤組成物が低泡性であることの指標となり、２４回転／分以上であれば問題ないレベルである。
【００６６】
＜茶渋汚れ洗浄性能＞
使用洗浄機：松下電器産業株式会社製自動食器洗い機（機種ＮＰ−６０ＳＳ６）を用い、下記食器、 表１及び表２の液体洗浄剤組成物を入れて標準コースで運転した。この洗浄機は、２．２Ｌの水を２０℃から６０℃まで徐々に昇温して洗浄し、その後すすぎを３回（昇温しない）行い、最終すすぎ（２０℃から７０℃まで徐々に昇温して、すすぎ）後、乾燥する形式のものである。
汚染湯呑み        ：３個（下記方法で調製されたもの）
使用水            ：７°ｄＨの水
洗浄剤組成物添加量：６ｇ
【００６７】
＜汚染湯呑みの調製及び評価方法＞
紅茶（日東紅茶）３パックをお湯１Ｌ（３．２°ｄＨ硬水）に１０分間浸けた後、紅茶をメラミン製の湯呑み（上径：約９５ｍｍ、高さ：約５０ｍｍ）に１００ｇ注ぎ、６０分後に捨て、更に１昼夜自然乾燥させたものを評価に用いた。洗浄後の湯呑み３個の茶渋の付着状態を３０歳代の男性及び女性４人（各２人ずつ）のパネルに観察してもらい、下記判定基準で評価し、４人の平均値を表１及び表２に示した。
【００６８】
４：茶渋が残っていない
３：やや茶渋が残っているが、使用上問題ないレベル
２：茶渋が残っており、洗い直しが必要なレベル
１：茶渋がほとんど除去されていないレベル
【００６９】
＜貯蔵安定性＞
表１及び表２の液体洗浄剤組成物２００ｇをプラスティック製透明容器（花王株式会社製ファミリーフレッシュ容器）に入れ、室温（２０℃）で３日間保存し、保存後の組成物の様子を観察し、保存前と変化ない場合を○、やや油分が浮いている場合を×、分離が見られるものを××として評価し、表１及び表２に示した。
【００７０】
＜経時増粘性＞
表２の液体洗浄剤組成物２００ｇをプラスティック製透明容器（花王株式会社製ファミリーフレッシュ容器）に入れ、５０℃で２０日間保存し、保存後の粘度上昇を測定した。その結果、粘度上昇が１０００mPa・s未満である場合を○、１０００mPa・s以上である場合を×として評価し、表２に示した。
【００７１】
【表１】
2010163599.tif 000003
【００７２】
【表２】
2010163599.tif 000004
＜（ｂ）成分＞
アクリル酸／マレイン酸共重合体の塩：重量平均分子量約３万、アクリル酸／マレイン酸のモル比＝７／３
（ｂ）成分の比較成分：アクリル酸／マレイン酸共重合体の塩：重量平均分子量約７万、アクリル酸／マレイン酸のモル比＝７／３
【００７３】
＜（ｄ）成分＞
（d1-1）界面活性剤１：一般式（１）中、アルキル基の炭素数が１２〜１４の第２級高級アルコールにオキシエチレン基が平均３モル付加した、ポリオキシエチレンアルキルエーテル
（d1-2）界面活性剤２：一般式（１）中、アルキル基の炭素数が１２の直鎖第１級高級アルコールにオキシエチレン基が平均４モル付加した、ポリオキシエチレンアルキルエーテル
（d1-3）界面活性剤３：一般式（１）中、アルキル基の炭素数が１２〜１４の第２級高級アルコールにオキシエチレン基が平均７モル、オキシプロピレン基が平均８．５モル付加した、ポリオキシエチレンポリオキシプロピレンアルキルエーテル
(d2)ＰＰＧ：ポリプロピレングリコール，重量平均分子量約３,０００、平均縮合度約５０（ジオールタイプ、和光純薬工業株式会社）
【００７４】
＜（ｅ）成分＞
界面活性剤（AG）：一般式（２）中、アルキル基の炭素数が１２、グルコースの平均縮合度は１．３のアルキルグリコシド
【００７５】
＜（ｆ）成分＞
増粘剤１：アクペック５０１Ｅ（架橋型ポリアクリル酸，住友精化（株）製）（２０℃の粘度：前記アクペック５０１Ｅを０．２質量％含有し、水酸化ナトリウムでｐＨ７．０に調整した水溶液を、２０℃にてブルックフィールド型粘度計＜ローターNo．４、回転数１２r/m＞で測定した粘度が４，０００mPa・s）
増粘剤２：アクペックＨＶ７０１ＥＤＲ（架橋型ポリアクリル酸／アクリル酸アルキル（炭素数１０〜３０）共重合体，住友精化（株）製）（２０℃の粘度：前記アクペックＨＶ７０１ＥＤＲを０．２質量％含有し、水酸化ナトリウムでｐＨ７．０に調整した水溶液を、２０℃にてブルックフィールド型粘度計＜ローターNo．４、回転数１２r/m＞で測定した粘度が１３，０００mPa・s）
【００７６】
＜（ｇ）成分＞
α−アミラーゼ：デュラミル３００Ｌ（ノボザイムズジャパン株式会社）
プロテアーゼ：エバラーゼ１６Ｌ（ノボザイムズジャパン株式会社）
【００７７】
＜（ｈ）成分＞
グリセリン（酵素安定化剤）
塩化カルシウム（酵素安定化剤）